(57)【要約】【課題】端子金具に複数のケーブルを接続するのにあたって端子金具と複数のケーブル間の距離を最短でかつすべて等しくでき、小型で端子台の断面積を確保しやすく、端子台を端子金具に固定する際の回り止めが不要な端子台を提供すること。【解決手段】端子金具の挿入端部に着脱可能な導体部材よりなる端子台であって、断面形状が等角度の多角形に形成され、これら多角形の各面にケーブルが接続されることを特徴とするもの。【選択図】図１
2014160596.tif 000002
【特許請求の範囲】
【請求項１】
端子金具の挿入端部に着脱可能な導体部材よりなる端子台であって、断面形状が等角度の多角形に形成され、これら多角形の各面にケーブルが接続されることを特徴とする端子台。
【請求項２】
前記断面形状は六角形であることを特徴とする請求項１に記載の端子台。
【請求項３】
前記六角形はボックスレンチに嵌め合うように形成されていることを特徴とする請求項２に記載の端子台。
【発明の詳細な説明】
【技術分野】
【０００１】
本発明は、端子台に関し、たとえば電子機器などに設けられる端子台であって、接続されるケーブルに比較的大電流を流すのに適した端子台に関するものである。
【背景技術】
【０００２】
図２は従来の端子構造例図であって、接続ケーブルが１本の場合を示したものであり、（Ａ）はケーブルが接続された状態の斜視図、（Ｂ）はその側面図、（Ｃ）は端子本体の正面図、（Ｄ）端子本体の上面図である。図２において、取付パネル１には挿入端部外周に雄ねじ部が設けられた端子金具２が挿入され、端子金具２の挿入端部２ａには絶縁ワッシャ３と平ワッシャ４およびスプリングワッシャ５が順次積層した状態で嵌め合わされて第１のナット６が螺合される。これにより、端子金具２は取付パネル１に固定される。
【０００３】
取付パネル１に固定された端子金具２の挿入端部２ａにはケーブル７の端部に接続されたラグ端子８が嵌め合わされ、第２のナット９と第３のナット１０が順次螺合されてラグ端子８はこれら第２のナット９と第３のナット１０の二重ナットにより端子金具２の挿入端部２ａに固着される。
【０００４】
図３は他の従来の端子構造例図であって、接続されるケーブルが６本の場合を示したものであり、（Ａ）はケーブルが接続された状態の斜視図、（Ｂ）はその側面図である。なお、図２と共通する部分には同一の符号を付けている。図３と図２の相違点は、端子金具２の挿入端部２ａには図２のラグ端子８に代えて、６本のケーブルの端部にそれぞれ接続された６個のラグ端子を嵌め合わせてねじ止めできるように構成された端子台１１が取り付けられていることである。
【０００５】
図３の構成によれば、端子金具２の端子部に接続される図示しない信号配線を端子台１１を介して６系統の信号配線に分岐接続したり、端子台１１に接続される６系統の信号配線を端子金具２の端子部１系統に集約できる。
【０００６】
特許文献１には、入力側及び出力側の端子部の数を用途に応じて増減できる分岐端子台装置が記載されている。
【０００７】
【特許文献１】特開２００８−３４２６５号公報
【発明の概要】
【発明が解決しようとする課題】
【０００８】
しかし、図２の構成によれば、ラグ端子８付きの１本のケーブル７に大電流を流そうとした場合には、大きなラグ端子や太いケーブルが必要となり、端子金具２への固定が難しくなる。
【０００９】
また、図３の構成を用いて大電流をラグ端子付きの複数本のケーブルに分割する場合には、各ラグ端子から端子金具２までの距離に応じて抵抗値に差が生じることになり、端子金具２からの距離が遠ざかるのにしたがって抵抗値は大きくなって条件が悪化する。
【００１０】
また、図３のように平板タイプの端子台１１を使用した場合には、比較的広い設置箇所が必要となる。
【００１１】
さらに、図３のような平板タイプの端子台１１を使用した場合には、端子台１１を端子金具２に固定するのにあたり、端子台１１が回転して周囲部品と接触することを避けるために、端子台１１が回転しないように押さえて固定するか、もしくは何らかの回転止めが必要になる。
【００１２】
本発明は、これらの問題を解決するものであって、その目的は、端子金具に複数のケーブルを接続するのにあたって端子金具と複数のケーブル間の距離を最短でかつすべて等しくでき、小型で端子台の断面積を確保しやすく、端子台を端子金具に固定する際の回り止めが不要な端子台を提供することにある。
【課題を解決するための手段】
【００１３】
このような課題を達成するために、本発明のうち請求項１記載の発明は、
端子金具の挿入端部に着脱可能な導体部材よりなる端子台であって、断面形状が等角度の多角形に形成され、これら多角形の各面にケーブルが接続されることを特徴とする。
【００１４】
請求項２記載の発明は、請求項１に記載の端子台において、
前記断面形状は六角形であることを特徴とする。
【００１５】
請求項３記載の発明は、請求項２に記載の端子台において、
前記六角形はボックスレンチに嵌め合うように形成されていることを特徴とする。
【発明の効果】
【００１６】
これらにより、端子金具と複数のケーブル間の距離を最短でかつすべて等しくでき、小型で端子台の断面積を確保しやすくなり、端子台を端子金具に固定する際の回り止めを不要にできる。
【図面の簡単な説明】
【００１７】
【図１】本発明の一実施例を示す構成図である。
【図２】従来の端子構造例図である。
【図３】他の従来の端子構造例図である。
【発明を実施するための形態】
【００１８】
以下、本発明について、図面を用いて詳細に説明する。図１は本発明の一実施例を示す構成図であり、図２および図３と共通する部分には同一の符号を付けている。図１において、（Ａ）は斜視図、（Ｂ）は（Ａ）の側面図、（Ｃ）は（Ｂ）の部分断面図、（Ｄ）は（Ｃ）の多角形端子台１２の拡大断面図、（Ｅ）は（Ｄ）の正面図、（Ｆ）は（Ｃ）の多角形締結部材１３の拡大断面図、（Ｇ）は（Ｆ）の正面図である。
【００１９】
端子金具２の挿入端部２ａには、図２のラグ端子８および図３の端子台１１に代えて導体部材よりなる有底の角筒状に形成された多角形端子台１２が螺合され、多角形端子台１２の底面に螺入されて貫通する端子金具２の挿入端部２ａにはさらに多角形締結部材１３が多角形端子台１２の内部に二重筒状に内包されるようにして螺合固着されている。
【００２０】
多角形端子台１２は、断面形状が等角度のたとえば六角形に形成され、一端１２ａは開口され、他端１２ｂの底面の中央部には端子金具２の挿入端部２ａの外周に設けられたねじ溝に螺合するねじ穴１２ｃが設けられている。そして、筒状六角形の外周各面には、ケーブルの端部に接続されたラグ端子をねじ止めするためのねじ穴１２ｄ〜１２ｉがそれぞれ設けられている。
【００２１】
多角形締結部材１３は多角形端子台１２の内部に内包されるように断面形状が多角形端子台１２と同様に等角度のたとえば六角形に形成され、両端１３ａおよび１３ｂは直管状に開口されている。
【００２２】
なお、これら多角形端子台１２および多角形締結部材１３の外径寸法は、それぞれボルト・ナットの組付けまたはその取外しに用いる工具として規格化されているソケットレンチの所定の口径のソケットに適合するように設定されている。
【００２３】
これにより、接続されるケーブルが支障にならない状態では、多角形端子台１２および多角形締結部材１３をソケットレンチの所定の口径のソケットに嵌め合わせて回転させることで、端子金具２の挿入端部２ａに螺合固着できる。
【００２４】
このように構成される多角形端子台１２の筒状六角形の外周各面のねじ穴１２ｄ〜１２ｉには、ケーブル７の端部に接続されたラグ端子８をねじ止めする。
【００２５】
多角形端子台１２の筒状六角形の外周各面にケーブル７の端部に接続されたラグ端子８をねじ止めすることで、最大６本までのケーブル７を同一条件で接続できる。
【００２６】
この結果、多角形端子台１２に対するケーブル７の接続経路を最短にでき、電気抵抗値を下げられることにより、適切な最大コンプライアンス電圧を確保できる。たとえば、最大６０Ａの電流発生器に使用した場合、最大コンプライアンス電圧を確保しながら、電流端子を狭い場所へ効率良く配置することができる。
【００２７】
また、最大６本のケーブルから多角形端子台１２に流れ込む電流を組み合わせることにより、所望の出力電流を得ることができる。たとえば１２Ａ×５本をそれぞれ組み合わせることで最大６０Ａを発生させることができる。この場合、各接続ケーブルの接続条件を同一に揃えることで、接続ケーブルの組み合わせ本数を変更した場合の差をなくすることができる。
【００２８】
また、端子台の断面形状を多角形（たとえば六角形）にすることで、従来の平板形端子台と比べると、端子間のピッチを狭くできて空間利用効率の良い配置が可能となることから格段の小型化が実現でき、狭い取付空間への端子台の取付設置が可能になる。
【００２９】
また、端子台の断面形状を多角形（たとえば六角形）にすることで、断面積を確保しやすくなり、電気抵抗値を下げられることにより、適切な最大コンプライアンス電圧を確保できる。
【００３０】
また、端子台の断面形状を多角形（たとえば六角形）にすることで、ソケットレンチなどの一般的な工具を使用しての組立が可能となり、特殊な治具や工具が不要になることから作業コストを改善できる。
【００３１】
さらに、端子台の断面形状を多角形（たとえば六角形）にすることで、端子台が回転しても周りの部品に接触する恐れはないことから、従来の平板形端子台の取付作業の場合のような回転止め部材や作業時の接触を回避するための気配りは不要となり、端子台取付作業の効率化が図れる。
【００３２】
なお、上記実施例では、端子台の断面形状の多角形が汎用的な六角形の例について説明したが、六角形に限るものではなく、特殊な用途によっては多角形の角数を適宜増減してもよい。
【００３３】
以上説明したように、本発明によれば、端子金具に複数のケーブルを接続するのにあたって端子金具と複数のケーブル間の距離を最短でかつすべて等しくでき、小型で端子台の断面積を確保しやすく、端子台を端子金具に固定する際の回り止めが不要な端子台が実現できる。
【符号の説明】
【００３４】
２  端子金具
２ａ  挿入端部
７  ケーブル
８  ラグ端子
１２  多角形端子台
１２ｃ〜１２ｉ  ねじ穴
１３  多角形締結部材
【図１】
2014160596.tif 000003
【図２】
2014160596.tif 000004
【図３】
2014160596.tif 000005